(57)【要約】【課題】所望の測定対象成分についての各時間毎のレベルの変化を明確かつ容易に認識可能に表示させる。【解決手段】周波数（測定対象成分）を矢印Ａ１の方向に対応させると共に周波数のレベルを矢印Ａ１の方向と交差する矢印Ａ２の方向に対応させて各周波数についての測定されたレベルをグラフＧａ〜Ｇｈによって表示するスペクトル表示用フレーム１１ａ〜１１ｈを表示部５に表示させる表示制御部を備え、表示制御部が、複数のスペクトル表示用フレーム１１ａ〜１１ｈを矢印Ａ３の方向にずらして測定順に重ねて表示させると共に、いずれかの周波数が指定されたときに、各スペクトル表示用フレーム１１ａ〜１１ｈ毎の指定された周波数についての測定されたレベルに対応する座標を測定順に結んだ実線Ｌ１を各スペクトル表示用フレーム１１ａ〜１１ｈに重ねて表示させる。【選択図】図２
2011033363.tif 000002
【特許請求の範囲】
【請求項１】
測定対象成分を第１方向に対応させると共に当該測定対象成分のレベルを当該第１方向と交差する第２方向に対応させて当該各測定対象成分についての測定されたレベルをグラフによって表示する測定結果表示用フレームを表示部に表示させる表示制御部を備えた測定結果表示装置であって、
前記表示制御部は、複数の前記測定結果表示用フレームを第３方向にずらして測定順およびその逆順のいずれかの順に重ねて表示させると共に、いずれかの前記測定対象成分が指定されたときに、前記各測定結果表示用フレーム毎の当該指定された測定対象成分についての前記測定されたレベルに対応する座標を前記いずれかの順に結んだ線分を当該各測定結果表示用フレームに重ねて表示させる測定結果表示装置。
【請求項２】
前記表示制御部は、前記線分と、前記各測定結果表示用フレーム毎の前記指定された測定対象成分についての予め規定されたレベルに対応する座標を前記いずれかの順に仮想的に結んだ仮想線とで挟まれた領域を塗り潰して表示する請求項１記載の測定結果表示装置。
【請求項３】
前記表示制御部は、前記測定対象成分のレベルをＡ方向に対応させると共に前記いずれかの順を当該Ａ方向と交差するＢ方向に対応させて前記各測定結果表示用フレーム毎の前記指定された測定対象成分についての前記測定されたレベルをグラフによって表示するレベル変化表示用フレームを前記各測定結果表示用フレームと共に表示させる請求項１または２記載の測定結果表示装置。
【請求項４】
前記表示制御部は、前記各測定結果表示用フレームのうちの指定された１つにおいて前記測定対象成分を指定するためのカーソル表示を表示させる請求項１から３のいずれかに記載の測定結果表示装置。
【請求項５】
測定対象成分を第１方向に対応させると共に当該測定対象成分のレベルを当該第１方向と交差する第２方向に対応させて当該各測定対象成分についての測定されたレベルをグラフによって表示する測定結果表示用フレームを表示させる測定結果表示方法であって、
複数の前記測定結果表示用フレームを第３方向にずらして測定順およびその逆順のいずれかの順に重ねて表示させると共に、いずれかの前記測定対象成分が指定されたときに、前記各測定結果表示用フレーム毎の前記指定された測定対象成分の前記測定されたレベルに対応する座標を前記いずれかの順に結んだ線分を当該各測定結果表示用フレームに重ねて表示させる測定結果表示方法。
【発明の詳細な説明】
【技術分野】
【０００１】
本発明は、複数の測定対象成分についての測定されたレベルをグラフによって表示する測定結果表示用フレームを表示させる測定結果表示装置および測定結果表示方法に関するものである。
【背景技術】
【０００２】
この種の測定結果表示方法に従って周波数スペクトルを表示する測定結果表示装置として、周波数スペクトル分析装置（以下、単に「分析装置」ともいう）が特開２００５−２１４７７７号公報に開示されている。この分析装置では、分析対象のアナログ信号をデジタルデータに変換した後に、所定の演算処理によってパワースペクトルを求め、その結果（スペクトル波形）を表示部に表示させる構成が採用されている。この場合、この分析装置では、一例として、演算処理によって求めたスペクトルにおける周波数を画面左右方向に対応させると共に各周波数のレベルを画面上下方向に対応させて各周波数毎のピークパワー（測定されたレベル）をスペクトル波形として表示させる構成が採用されている。
【先行技術文献】
【特許文献】
【０００３】
【特許文献１】特開２００５−２１４７７７号公報（第４−７頁、第３−５図）
【発明の概要】
【発明が解決しようとする課題】
【０００４】
しかしながら、従来の分析装置には、以下の問題点が存在する。すなわち、従来の分析装置では、周波数を画面左右方向に対応させると共に各周波数のレベルを画面上下方向に対応させたスペクトル波形を表示させる構成が採用されている。この場合、この種の装置の使用形態として、特定の周波数に着目してその周波数についての時間に応じたレベルの変化について分析するとの使用形態がある。このような使用形態に関し、従来の分析装置では、前述した演算処理時に時間窓をずらすことによって各時間毎のスペクトル求めることが可能となっている。しかしながら、従来の分析装置では、所望の周波数についての時間に応じたレベルの変化について分析しようとしたときに、各時間毎のスペクトル波形を順次切り替えて表示させる必要がある。このため、従来の分析装置では、表示画面の切替え操作が煩雑であるばかりでなく、表示させたスペクトル波形の測定時間に対する前後の時間に対応するスペクトル波形が表示画面に同時に表示されていないことに起因して、レベルの変化量を直感的に把握するのが困難となっている。
【０００５】
このような課題を改善すべく、出願人は、入力信号についての周波数スペクトルを所定時間間隔で測定すると共に、測定した各スペクトルを表すグラフを表示画面内において所定量ずつずらして測定順に重ねて表示させる測定結果表示装置を開発している。具体的には、出願人が開発している測定結果表示装置では、図４に示すように、周波数（この例では、１０ｋＨｚ〜４０ｋＨｚ）を画面左右方向（矢印Ａ１の方向）に対応させると共に周波数のレベル（この例では、−１３０ｄＢ〜−３０ｄＢ）を画面上下方向（矢印Ａ２の方向）に対応させて各周波数についての測定されたレベルをグラフによって表示するスペクトル表示用フレーム１１ａ〜１１ｈ（以下、単に「フレーム１１ａ〜１１ｈ」ともいう）を、矢印Ａ１，Ａ２と交差する左下がりの斜め方向（矢印Ａ３の方向）にずらして測定順に重ねて表示させる測定結果表示用画面１０ｘを表示可能に構成されている。この出願人が開発している測定結果表示装置によれば、煩雑な切替え操作を行うことなく、測定順に並んで表示されたフレーム１１ａ〜１１ｈ（以下、区別しないときには「フレーム１１」ともいう）内の各グラフＧａ〜Ｇｈを参照することができる。
【０００６】
この場合、出願人が開発している測定結果表示装置における測定結果表示用画面１０ｘにおいて、最も手前のフレーム１１ａでは、周波数やレベルとフレーム１１ａ内の各座標との関係を示すグリッド表示や文字情報（この例では、「１０ｋＨｚ」、「４０ｋＨＺ」、「−１３０ｄＢ」および「−３０ｄＢ」との文字情報）が存在するため、グラフＧａを参照する際に、どの周波数がどのレベルであるかを直感的に認識することが可能となっている。しかしながら、フレーム１１ｂ〜１１ｈでは、グリッド表示や文字情報が存在しないだけでなく、手前のフレーム１１に対して右上にずれて表示されているため、不慣れな利用者にとっては、グラフＧｂ〜Ｇｈを参照する際に、どの周波数がどのレベルであるかを直感的に認識するのが困難となっている。このため、出願人が開発している測定結果表示装置には、不慣れな利用者にとっては、特定の周波数に着目してその時間に応じたレベルの変化を分析するのが依然として困難となっており、この点を改善するのが好ましい。
【０００７】
本発明は、かかる改善すべき課題に鑑みてなされたものであり、所望の測定対象成分についての各時間毎のレベルの変化を明確かつ容易に認識可能に表示し得る測定結果表示装置および測定結果表示方法を提供することを主目的とする。
【課題を解決するための手段】
【０００８】
上記目的を達成すべく、請求項１記載の測定結果表示装置は、測定対象成分を第１方向に対応させると共に当該測定対象成分のレベルを当該第１方向と交差する第２方向に対応させて当該各測定対象成分についての測定されたレベルをグラフによって表示する測定結果表示用フレームを表示部に表示させる表示制御部を備えた測定結果表示装置であって、前記表示制御部が、複数の前記測定結果表示用フレームを第３方向にずらして測定順およびその逆順のいずれかの順に重ねて表示させると共に、いずれかの前記測定対象成分が指定されたときに、前記各測定結果表示用フレーム毎の当該指定された測定対象成分についての前記測定されたレベルに対応する座標を前記いずれかの順に結んだ線分を当該各測定結果表示用フレームに重ねて表示させる。
【０００９】
請求項２記載の測定結果表示装置は、請求項１記載の測定結果表示装置において、前記表示制御部が、前記線分と、前記各測定結果表示用フレーム毎の前記指定された測定対象成分についての予め規定されたレベルに対応する座標を前記いずれかの順に仮想的に結んだ仮想線とで挟まれた領域を塗り潰して表示する。
【００１０】
請求項３記載の測定結果表示装置は、請求項１または２記載の測定結果表示装置において、前記表示制御部が、前記測定対象成分のレベルをＡ方向に対応させると共に前記いずれかの順を当該Ａ方向と交差するＢ方向に対応させて前記各測定結果表示用フレーム毎の前記指定された測定対象成分についての前記測定されたレベルをグラフによって表示するレベル変化表示用フレームを前記各測定結果表示用フレームと共に表示させる。
【００１１】
請求項４記載の測定結果表示装置は、請求項１から３のいずれかに記載の測定結果表示装置において、前記表示制御部が、前記各測定結果表示用フレームのうちの指定された１つにおいて前記測定対象成分を指定するためのカーソル表示を表示させる。
【００１２】
請求項５記載の測定結果表示方法は、測定対象成分を第１方向に対応させると共に当該測定対象成分のレベルを当該第１方向と交差する第２方向に対応させて当該各測定対象成分についての測定されたレベルをグラフによって表示する測定結果表示用フレームを表示させる測定結果表示方法であって、複数の前記測定結果表示用フレームを第３方向にずらして測定順およびその逆順のいずれかの順に重ねて表示させると共に、いずれかの前記測定対象成分が指定されたときに、前記各測定結果表示用フレーム毎の前記指定された測定対象成分の前記測定されたレベルに対応する座標を前記いずれかの順に結んだ線分を当該各測定結果表示用フレームに重ねて表示させる。
【発明の効果】
【００１３】
請求項１記載の測定結果表示装置、および請求項５記載の測定結果表示方法によれば、測定対象成分を第１方向に対応させると共に測定対象成分のレベルを第１方向と交差する第２方向に対応させて各測定対象成分についての測定されたレベルをグラフによって表示する測定結果表示用フレームを第３方向にずらして測定順およびその逆順のいずれかの順に重ねて表示させると共に、いずれかの測定対象成分が指定されたときに、各測定結果表示用フレーム毎の指定された測定対象成分についての測定されたレベルに対応する座標をいずれかの順に結んだ線分を各測定結果表示用フレームに重ねて表示させることにより、表示画面の切替え操作を行うことなく、連続する複数の時点の各測定結果（例えば、周波数スペクトル）を表示部に表示させることができるため、各測定対象成分についての測定されたレベル（例えば、各周波数の測定レベル）の時間経過に応じた変化を直感的に認識させることができるだけでなく、上記の線分を参照することで、不慣れな利用者に対しても、指定された測定対象成分についての時間経過に応じたレベルの変化を明確かつ容易に認識させることができる。
【００１４】
また、請求項２記載の測定結果表示装置によれば、上記の線分と、各測定結果表示用フレーム毎の指定された測定対象成分についての予め規定されたレベルに対応する座標を上記のいずれかの順に仮想的に結んだ仮想線とで挟まれた領域を塗り潰して表示することにより、上記の線分を重ねるだけの表示と比較して、この線分と仮想線との間の領域の塗り潰しによって、指定された測定対象成分についての時間経過に応じたレベルの変化を一層明確かつ一層容易に認識させることができる。
【００１５】
さらに、請求項３記載の測定結果表示装置によれば、測定対象成分のレベルをＡ方向に対応させると共に上記のいずれかの順をＡ方向と交差するＢ方向に対応させて各測定結果表示用フレーム毎の指定された測定対象成分についての測定されたレベルをグラフによって表示するレベル変化表示用フレームを各測定結果表示用フレームと共に表示させることにより、上記の線分を重ねるだけの表示と比較して、レベル変化表示用フレームのグラフを参照させることによって、指定された測定対象成分についての時間経過に応じたレベルの変化を一層明確かつ一層容易に認識させることができる。
【００１６】
また、請求項４記載の測定結果表示装置によれば、各測定結果表示用フレームのうちの指定された１つにおいて測定対象成分を指定するためのカーソル表示を表示させることにより、例えば数値入力によって測定対象成分（例えば、周波数）を指定するのと比較して、不慣れな利用者であっても、所望の測定対象成分を容易に指定することができる。
【図面の簡単な説明】
【００１７】
【図１】測定結果表示装置１のブロック図である。
【図２】測定結果表示用画面１０の表示画面図である。
【図３】測定結果表示用画面１０Ａの表示画面図である。
【図４】測定結果表示用画面１０ｘの表示画面図である。
【発明を実施するための形態】
【００１８】
以下、添付図面を参照して、測定結果表示装置および測定結果表示方法の実施の形態について説明する。
【００１９】
図１に示す測定結果表示装置１は、入力信号Ｓｉについての周波数スペクトルを測定して表示するスペクトルアナライザであって、測定部２、メモリ３、操作部４、表示部５および制御部６を備えて構成されている。測定部２は、入力信号Ｓｉを増幅するアンプや、アンプによって増幅された信号をデジタル変換するＡ／Ｄコンバータ等（図示せず）を備え、制御部６の制御に従って入力信号Ｓｉを所定時間間隔でサンプリングすることによって測定データＤ１を生成して出力する。メモリ３は、上記の測定データＤ１や、制御部６の演算結果（後述する測定データＤ２等）を記憶する。この場合、メモリ３には、一例として、測定部２から順次出力される測定データＤ１を先入れ先出し法で記憶するリングバッファ形式の複数の記憶領域が規定されている。
【００２０】
操作部４は、測定結果表示装置１の動作条件を設定するための各種の操作スイッチや、後述するスケール表示１３およびカーソル表示１４（図２参照）を移動させるための操作スイッチを備え、スイッチ操作に応じた操作信号Ｓ１を制御部６に出力する。表示部５は、カラー液晶表示パネルを備えて構成され、制御部６の制御に従って、図２に示す測定結果表示用画面１０などを表示する。制御部６は、一例として、ＦＰＧＡ（Field Programmable Gate Array ）およびＣＰＵを備えて構成され、測定部２から出力された測定データＤ１をメモリ３に順次記憶させると共に、記憶させた測定データＤ１に対する所定の演算処理（一例として、高速フーリエ変換等）を実行することにより、入力信号Ｓｉについての所定時間毎の周波数スペクトルを演算して測定データＤ２を生成する。
【００２１】
また、制御部６は、表示制御部に相当し、生成した測定データＤ２に基づいて、図２に示す測定結果表示用画面１０や、図３に示す測定結果表示用画面１０Ａなどを表示部５に表示させる。この場合、測定結果表示用画面１０，１０Ａは、制御部６によって演算された周波数スペクトルを測定順に表示するための表示画面であって、出願人が開発している測定結果表示装置における測定結果表示用画面１０ｘと同様にして、複数のスペクトル表示用フレーム１１ａ〜１１ｈ（「測定結果表示用フレーム」の一例：以下、単に「フレーム１１ａ〜１１ｈ」ともいう。また、これらを区別しないときには「フレーム１１」ともいう）が左下がりの斜め方向（矢印Ａ３の方向）に所定量ずつずれながら重なって表示されている。なお、同図では、測定結果表示用画面１０，１０Ａの画面構成についての理解を容易とするために、フレーム１１ａ〜１１ｈの８フレームだけを図示しているが、この測定結果表示装置１では、利用者の目的に応じてさらに多数のフレーム１１（一例として、１０〜２００フレーム）を測定結果表示用画面１０，１０Ａ内に表示させることが可能となっている。
【００２２】
この場合、この測定結果表示装置１では、周波数（「測定対象成分」の一例：この例では、１０ｋＨｚ〜４０ｋＨｚ）を画面左右方向（矢印Ａ１の方向：「第１方向」の一例）に対応させると共に、周波数のレベル（「ｄＢ」）を画面上下方向（矢印Ａ２の方向：「第１方向と交差する第２方向」の一例）に対応させて、各周波数についての「測定されたレベル（周波数スペクトル）」をグラフＧａ〜Ｇｈ（以下、区別しないときには「グラフＧ」ともいう）によって測定結果表示用画面１０内に表示させる構成が採用されている。また、この測定結果表示装置１では、各フレーム１１を左下がり方向（矢印Ａ３の方向：「第３方向」の一例）にずらして測定順に重ねて（一例として、最新の測定結果に近い測定結果のフレーム１１ほど左下に位置するように、右上から左下に向かう向きで重ねて）三次元的に表示させるように測定結果表示用画面１０を表示させる構成が採用されている。なお、最新の測定結果に近い測定結果のフレーム１１ほど右上に位置するように、左下から右上に向かう向きで測定順の逆順で重ねて各フレーム１１を表示させる構成を採用することもできる。
【００２３】
さらに、この測定結果表示装置１では、各フレーム１１のうちの指定したフレーム（この例では、最も手前のフレーム１１ａ）において所望の周波数を指定するためのスケール表示１３およびカーソル表示１４をフレーム１１に重ねて測定結果表示用画面１０内に表示する構成が採用されている。この場合、この測定結果表示装置１では、上記の「指定したフレーム１１」を他のフレーム１１と区別させるために、一例として、指定したフレーム１１のグラフＧ（この例では、フレーム１１ａのグラフＧａ）が強調表示される構成が採用されている。なお、同図では、強調表示の一例として、フレーム１１ａのグラフＧａをフレーム１１ｂ〜１１ｈのグラフＧｂ〜Ｇｈよりも太い線で描画した例を図示しているが、このような強調表示に変えて、指定したフレーム１１のグラフＧの表示色を他のフレーム１１のグラフＧの表示色とは相違させて表示させる構成や、指定したフレーム１１のグラフＧを点滅表示させる構成を採用することもできる。
【００２４】
また、この測定結果表示装置１では、上記の「指定されたフレーム１１（この例では、フレーム１１ａ）」においてスケール表示１３を画面左右方向（第１方向）に移動させることによって所望の周波数（「測定対象成分」の一例）を指定することが可能となっている。具体的には、フレーム１１ａにおいてスケール表示１３を所望の周波数の位置に移動させることにより、後述するように各フレーム１１に亘って実線（第１の線分）Ｌ１を表示させるべき周波数（この例では、「２２ｋＨｚ」）を指定することが可能となっている。この場合、この測定結果表示装置１では、カーソル表示１４が、スケール表示１３の移動に伴って、指定されたフレーム１１（フレーム１１ａ）に表示されているグラフＧ（グラフＧａ）とスケール表示１３との交差位置に移動して表示される構成が採用されている。また、この測定結果表示装置１では、フレーム１１におけるカーソル表示１４の座標に対応する周波数およびレベルが測定値表示領域１２内に表示される構成が採用されている。
【００２５】
この測定結果表示装置１の使用に際しては、まず、操作部４を操作して測定結果表示装置１の動作条件（測定条件）を設定する。具体的には、一例として、入力信号Ｓｉについての１０ｋＨｚ〜４０ｋＨｚの範囲内の各周波数のスペクトルを測定して、その測定結果（この例では、−１３０ｄＢ〜−３０ｄＢの範囲内のうちのいずれのレベルであるか）を各フレーム１１にグラフＧによって表示させるように設定する。この際には、一例として、各フレーム１１の描画間隔（「第３方向」に対応する各フレーム１１の測定時間間隔）を１ｍｓに設定する。次いで、操作部４の開始スイッチを操作することにより、制御部６による周波数スペクトルの表示処理（測定結果表示用画面１０の表示処理）が開始される。具体的には、操作部４から処理開始を指示する操作信号Ｓ１が出力されたときに、制御部６は、測定部２を制御して測定処理を開始させる。これに応じて、測定部２は、入力信号Ｓｉをデジタル変換すると共に、変換したデジタル信号について１ｍｓでサンプリングして測定データＤ１を生成し、生成した測定データＤ１を制御部６に出力する。
【００２６】
また、制御部６は、測定部２から出力された測定データＤ１をメモリ３に順次記憶させる。さらに、制御部６は、上記の測定データＤ１のメモリ３への記憶処理と並行して、測定データＤ１に基づく周波数スペクトルの演算処理を実行する。具体的には、制御部６は、メモリ３に記憶させた測定データＤ１を読み出して所定の演算処理（高速フーリエ変換等）を実行することにより、その測定データＤ１に基づく周波数スペクトルを演算して測定データＤ２を生成し、生成した測定データＤ２をメモリ３に記憶させる。なお、測定部２によってデジタル変換された測定データＤ１に基づく周波数スペクトルの演算方法は公知のため、その詳細な説明を省略する。また、制御部６は、上記の一連の処理と並行して、演算結果（測定結果：測定対象の入力信号Ｓｉについての周波数スペクトル）を表示させるための表示用データを生成して出力することにより、図２に示すように、測定結果表示用画面１０を表示部５に表示させる。
【００２７】
具体的には、制御部６は、まず、最初の測定データＤ２に基づく周波数スペクトルをフレーム１１ａにグラフＧａとして表示させる。この場合、最初の測定データＤ２に基づくグラフＧａをフレーム１１ａに表示させた時点においては、フレーム１１ｂ〜フレーム１１ｃにはグラフＧが表示されていない状態となっている。また、制御部６は、２番目の測定データＤ２（最初の測定データＤ２の１ｍｓ後に生成された測定データＤ２）に基づく周波数スペクトルを表示させる際には、フレーム１１ａに表示させていた最初の測定データＤ２に基づくグラフＧａをグラフＧｂとしてフレーム１１ｂに表示させると共に、２番目の測定データＤ２に基づく周波数スペクトルをフレーム１１ａにグラフＧａとして表示させる。さらに、制御部６は、３番目の測定データＤ２に基づく周波数スペクトルを表示させる際には、フレーム１１ｂに表示させていた最初の測定データＤ２に基づくグラフＧｂをグラフＧｃとしてフレーム１１ｃに表示させ、かつ、フレーム１１ａに表示させていた２番目の測定データＤ２に基づくグラフＧａをグラフＧｂとしてフレーム１１ｂに表示させると共に、３番目の測定データＤ２に基づく周波数スペクトルをフレーム１１ａにグラフＧａとして表示させる。
【００２８】
このように、この測定結果表示装置１では、制御部６によって新たな測定データＤ２が生成されてこの測定データＤ２基づくグラフＧを表示させる度に、それ以前に各フレーム１１に表示させていたグラフＧを１つ右上に位置するフレーム１１に移動させて表示させると共に、最新の測定データＤ２に基づく周波数スペクトルを最も手前のフレーム１１ａ内にグラフＧａとして表示させる構成が採用されている。したがって、図２に示す測定結果表示用画面１０では、フレーム１１ａ〜１１ｈの８フレームだけが存在するため、最初の測定データＤ２に基づく周波数スペクトルがグラフＧａとしてフレーム１１ａに表示された時点から８ｍｓが経過した時点において、この測定データＤ２に基づく周波数スペクトルが非表示となって、フレーム１１ｈには、２番目の測定データＤ２に基づくグラフＧｈが表示された状態となる。つまり、この測定結果表示装置１では、最新の８ｍｓ分の周波数スペクトルが測定結果表示用画面１０内に表示されることとなる。
【００２９】
一方、この測定結果表示装置１では、測定結果表示用画面１０を表示させた状態において、指定されたフレーム１１上でスケール表示１３（カーソル表示１４）によって所定の周波数が指定されたときに、その周波数のレベルに対応する座標を例えば測定順に結んだ実線Ｌ１を各フレーム１１に重ねて表示させる構成が採用されている。具体的には、まず、操作部４を操作して、スケール表示１３やカーソル表示１４を表示させるフレーム１１を指定する。この際には、前述したように、指定されたフレーム１１内のグラフＧが強調表示される。したがって、いずれのフレーム１１が指定されているかを直感的に認識させることが可能となっている。なお、図２では、最も手前のフレーム１１ａが指定された状態を図示している。
【００３０】
次いで、操作部４を操作して、指定したフレーム（この例では、フレーム１１ａ）においてスケール表示１３を所望の周波数の位置に移動させる。例えば、２２ｋＨｚとの周波数を所望する場合には、同図に示すように、スケール表示１３を左右方向（第１方向）に移動させてフレーム１１ａにおける２２ｋＨｚに対応する位置に位置させる。この際には、前述したように、カーソル表示１４が、スケール表示１３の移動に伴って、フレーム１１ａに表示されているグラフＧａとスケール表示１３との交差位置に移動して表示される。また、カーソル表示１４が位置するフレーム１１ａ内の座標に対応する周波数およびレベルが測定値表示領域１２内に数値表示される。したがって、スケール表示１３（カーソル表示１４）によっていずれの周波数を指定しているか、および指定した周波数のレベルがどの程度であるかをカーソル表示１４の表示位置および測定値表示領域１２内の数値表示によって直感的に認識させることが可能となっている。
【００３１】
この場合、この測定結果表示装置１では、指定したフレーム１１においてスケール表示１３（カーソル表示１４）によって所定の周波数が指定されたときに、各フレーム１１毎の指定された周波数についての測定されたレベルに対応する座標を測定順に結んだ実線Ｌ１が各フレーム１１に重ねて表示される構成が採用されている。具体的には、フレーム１１ａにおいて２２ｋＨｚが指定されたときに、フレーム１１ｂ〜１１ｈに表示されている各周波数スペクトル（グラフＧｂ〜Ｇｈ）における２２ｋＨｚのレベルに対応する座標を結ぶようにして実線Ｌ１が表示される。さらに、この測定結果表示装置１では、各フレーム１１ｂ〜１１ｈに表示されている各周波数スペクトル（グラフＧｂ〜Ｇｈ）の指定された周波数（２２ｋＨｚ）のレベルに対応する座標に交点（この例では、黒丸）が表示される。
【００３２】
さらに、この測定結果表示装置１では、上記の実線Ｌ１と、各フレーム１１毎の指定された周波数（この例では、２２ｋＨｚ）についての予め規定されたレベル（一例として、「第２方向」の両端部のうちのいずれか一方の端部に対応するレベル：この例では、各フレーム１１の下端部に対応する「−１３０ｄＢ」）に対応する座標を測定順に仮想的に結んだ一点鎖線（第２の線分）Ｌ２（「仮想線」の一例）とで挟まれた領域（同図において右下がりの斜線で塗り潰した領域）を塗り潰して表示する構成が採用されている。なお、同図では、実線Ｌ１および一点鎖線Ｌ２で挟まれた領域を右下がりの斜線で塗り潰した（所定の模様で塗り潰した）例を図示してるが、模様による塗り潰しに代えて、背景色とは異なる任意の表示色で塗り潰してもよい。また、上記の一点鎖線Ｌ２は、測定結果表示用画面１０の画面構成についての理解を容易とするために図示した仮想線であって、実際の測定結果表示用画面１０においては、この一点鎖線Ｌ２は非表示となっている。
【００３３】
また、スケール表示１３（カーソル表示１４）を左右方向に移動させて例えば３０ｋＨｚとの周波数を指定したときには、２２ｋＨｚを指定したときと同様にして、各フレーム１１における３０ｋＨｚのレベルを測定順に結んだ実線Ｌ１が表示されると共に、その下方に塗り潰し表示が表示される。なお、上記の例は、測定部２による測定処理と並行して測定結果表示用画面１０を表示させているが、この測定結果表示装置１では、測定部２による一連の測定処理が終了した後に、メモリ３に記憶させた各測定データＤ２に基づいて測定結果表示用画面１０を表示部５に表示させることもできる。この場合においても、上記の測定結果表示用画面１０と同様にして、実線Ｌ１や塗り潰し表示が各フレーム１１に重ねて表示される。
【００３４】
さらに、この測定結果表示装置１では、上記の測定結果表示用画面１０に代えて、図３に示す測定結果表示用画面１０Ａを表示部５に表示させることが可能に構成されている。なお、この測定結果表示用画面１０Ａにおいて前述した測定結果表示用画面１０と同様の表示要素については、同一の符号を付して重複する説明を省略する。この測定結果表示用画面１０Ａでは、前述した測定結果表示用画面１０における実線Ｌ１と一点鎖線Ｌ２とで挟まれた領域の塗り潰し表示を行わない点を除き、各フレーム１１や実線Ｌ１が測定結果表示用画面１０と同様に表示される。なお、この測定結果表示用画面１０Ａにおいて、前述した測定結果表示用画面１０における実線Ｌ１と一点鎖線Ｌ２とで挟まれた領域に対応する領域を塗り潰して表示してもよい。また、この測定結果表示用画面１０Ａでは、上記の各フレーム１１と共に、レベル変化表示用フレーム１５が表示されるように規定されている。
【００３５】
このレベル変化表示用フレーム１５は、周波数（測定対象成分）のレベルを画面上下方向（矢印Ａａの方向：「Ａ方向」の一例）に対応させると共に、上記の各フレーム１１に表示させた各グラフＧ（周波数スペクトル）の測定順を画面左右方向（矢印Ａｂの方向：「Ａ方向と交差するＢ方向」の一例）に対応させて、指定されたフレーム１１においてスケール表示１３（カーソル表示１４）によって指定された周波数の各フレーム１１毎のレベルをグラフＧｘによって表示するように構成されている。また、このレベル変化表示用フレーム１５には、上記の各フレーム１１のうちの指定したフレーム１１に対応する位置にスケール表示１６が表示されると共に、カーソル表示１４の表示位置（カーソル表示１４に対応するレベル）に対応してカーソル表示１７が表示される。したがって、この測定結果表示用画面１０Ａを表示させた場合には、各フレーム１１のうちのいずれのフレーム１１を指定しているかを直感的に認識させることが可能となっている。
【００３６】
このように、この測定結果表示装置１、および測定結果表示装置１による測定結果表示方法によれば、周波数を第１方向（図２における矢印Ａ１の方向）に対応させると共に周波数のレベルを上記の第１方向と交差する第２方向（図２における矢印Ａ２の方向）に対応させて各周波数についての測定されたレベルをグラフＧａ〜Ｇｈによって表示するスペクトル表示用フレーム１１ａ〜１１ｈを第３方向（図２における矢印Ａ３の方向）にずらして測定順に重ねて表示させると共に、いずれかの周波数が指定されたときに、各スペクトル表示用フレーム１１ａ〜１１ｈ毎の指定された周波数についての測定されたレベルに対応する座標を測定順に結んだ線分（図２における実線Ｌ１）を各スペクトル表示用フレーム１１ａ〜１１ｈに重ねて表示させることにより、表示画面の切替え操作を行うことなく、連続する複数の時点の各測定結果（この例では、周波数スペクトル）を表示部５に表示させることができるため、各測定対象成分についての測定されたレベル（この例では、各周波数の測定レベル）の時間経過に応じた変化を直感的に認識させることができるだけでなく、実線Ｌ１を参照することで、不慣れな利用者に対しても、指定された測定対象成分についての時間経過に応じたレベルの変化を明確かつ容易に認識させることができる。
【００３７】
また、この測定結果表示装置１によれば、各スペクトル表示用フレーム１１ａ〜１１ｈ毎の指定された周波数についての測定されたレベルに対応する座標を測定順に結んだ線分（図２における実線Ｌ１）と、各スペクトル表示用フレーム１１ａ〜１１ｈ毎の指定された周波数についての予め規定されたレベル（この例では、「−１３０ｄＢ」）に対応する座標を測定順に仮想的に結んだ仮想線（図２における一点鎖線Ｌ２）とで挟まれた領域を塗り潰して表示する測定結果表示用画面１０を表示するように構成したことにより、実線Ｌ１を重ねるだけの表示と比較して、上記の領域の塗り潰しによって、指定された測定対象成分についての時間経過に応じたレベルの変化を一層明確かつ一層容易に認識させることができる。
【００３８】
さらに、この測定結果表示装置１によれば、周波数のレベルをＡ方向（図３における矢印Ａａの方向）に対応させると共に測定順を上記のＡ方向と交差するＢ方向（図３における矢印Ａｂの方向）に対応させて各フレーム１１毎の指定された周波数についての測定されたレベルをグラフＧｘによって表示するレベル変化表示用フレーム１５を各スペクトル表示用フレーム１１ａ〜１１ｈと共に表示する測定結果表示用画面１０Ａを表示するように構成したことにより、実線Ｌ１を重ねるだけの表示と比較して、レベル変化表示用フレーム１５のグラフＧｘを参照させることによって、指定された測定対象成分についての時間経過に応じたレベルの変化を一層明確かつ一層容易に認識させることができる。
【００３９】
また、この測定結果表示装置１によれば、各スペクトル表示用フレーム１１ａ〜１１ｈのうちの指定された１つにおいて周波数を指定するためのカーソル表示１４を表示させることにより、例えば数値入力によって測定対象成分（この例では、周波数）を指定するのと比較して、不慣れな利用者であっても、所望の測定対象成分（周波数）を容易に指定することができる。
【００４０】
なお、上記の測定結果表示装置１では、測定結果表示用画面１０に代えて測定結果表示用画面１０Ａを表示するように構成されているが、測定結果表示用画面１０Ａにおけるレベル変化表示用フレーム１５を測定結果表示用画面１０内に表示させる構成を採用することもできる。また、グラフは、上記の測定結果表示用画面１０，１０ＡにおけるグラフＧａ〜Ｇｈのような折れ線グラフ状のグラフの表示に限定されるものではなく、グラフＧａ〜Ｇｈに代えて各成分（周波数）毎のレベルを示す棒グラフを表示させる構成を採用することもできる。さらに、スケール表示１３（カーソル表示１４）によって所望の測定対象成分（周波数）を指定する構成を例に挙げて説明したが、所望の測定対象成分を数値入力によって指定する構成を採用することもできる。
【符号の説明】
【００４１】
１  測定結果表示装置
５  表示部
６  制御部
１０，１０Ａ  測定結果表示用画面
１１ａ〜１１ｈ  スペクトル表示用フレーム
１３  スケール表示
１４  カーソル表示
１５  レベル変化表示用フレーム
Ｄ１，Ｄ２  測定データ
Ｇａ〜Ｇｈ，Ｇｘ  グラフ
Ｌ１  実線
Ｌ２  一点鎖線
【図１】
2011033363.tif 000003
【図２】
2011033363.tif 000004
【図３】
2011033363.tif 000005
【図４】
2011033363.tif 000006